(57)【要約】      （修正有）【課題】セラピー効果のある照射、特に、生体の健康・幸福感を向上させる照射を生成することができ、低コストで実施可能で、かつ、所望のセラピー効果が増大したライトセラピー装置を提供する。【解決手段】ライトセラピー装置は、セラピー効果のある液体のサンプルとエタノールとの混合物をキルリアン写真で撮影・作製したスライドと、照明手段１０を有する投影装置１とを備える。投影装置１は、光透過可能な容器内に収容された液体のサンプル１４を光路１６内でスライド保持ユニット１２と投影対象物体１８との間に配置した状態で、スライドの投影を行う。【選択図】図１
0003193676.tif 000002
【実用新案登録請求の範囲】
【請求項１】
セラピー効果のある水性液体から作成された画像を適用するライトセラピー装置であって、
液体保持体から取り出された水性液体のサンプルとエタノールとの混合物のキルリアン写真および／またはコロナ放電写真によって作成されたスライドと、
可視光を放射する照明手段（１０）を有し、前記スライドを、物体、特に、生体に対して投影する投影装置（１）とを備え、
前記可視光を透過する容器であって、前記可視光の照射を受けることが可能な容器内に収容された液体のサンプル（１４）が、前記スライドを保持する前記投影装置のユニット（１２）と前記物体（１８）との間の光路内に配置された状態で、前記投影装置（１）が前記スライドを投影する、ライトセラピー装置。
【請求項２】
請求項１において、前記スライドは直方形状であり、直方形状の第１の辺の長さおよび第２の辺の長さが１２ｍｍから６０ｍｍの間である、ライトセラピー装置。
【請求項３】
請求項１または２において、前記スライドのフィルム材に適用される前記水性液体のサンプルの体積が、０．０１から１０ｍｌである、ライトセラピー装置。
【請求項４】
請求項１から３のいずれか一項において、前記投影装置（１）が、太陽光に相当する放射スペクトルを生成するように設定されたプロジェクタであって、小判および／または中判のスライド用に適したプロジェクタ、特に、オーバーヘッドプロジェクタを有する、ライトセラピー装置。
【請求項５】
請求項１から４のいずれか一項において、前記照射を受ける容器が、ガラス製、特に、筒状のガラス製であり、かつ、手で保持されて、および／または機械的な取付けによって、前記光路内に位置付けられている、ライトセラピー装置。
【請求項６】
セラピー効果のある水性液体を調製して当該液体から作製された画像を適用するシステムであって、
請求項１から５のいずれか一項に記載のライトセラピー装置と、
透明なクリスタルの外層によって画定された空間を有する液体保持体、特に、鉱物のジオードとを備えた、調製および適用システム。
【請求項７】
請求項６において、クオーツ物質で構成される前記液体保持体の前記空間の充填体積が５ｍｌから２００ｍｌである、調製および適用システム。
【請求項８】
請求項６または７において、前記液体保持体は手で取扱い可能であり、光線が前記クリスタルの外層を通過して前記空間内に収容された水性液体に達するように、少なくとも一方の手で保持されることができる、調製および適用システム。
【請求項９】
請求項６から８のいずれか一項において、前記液体収容体は、天然水で充填されており、かつ、野外で太陽光環境下に置かれている、調製および適用システム。
【考案の詳細な説明】
【技術分野】
【０００１】
本考案は、ライトセラピー装置、および、セラピー効果のある液体を調製しこれを基に作製された画像（イメージ）を適用するシステムに関する。
【背景技術】
【０００２】
「ライトセラピー」は、従来技術から長年知られている。この目的に使用される照明・照射装置は、生体、特にヒトに対してセラピー効果をもたらす。典型的な効果として、健康・幸福感の向上などが挙げられるが、そのほかにも、カラーセラピーおよび／またはライトセラピーの効果として、例えば、免疫系の刺激などが知られており、また、心身症の治療への好適性も報告されている。さらに、最新の医療文献には、ヒトの行動に関する治療効果も報告されている。
【０００３】
技術的な実用形態として、セラピー用に適宜調整された光線（例えば、色彩豊かに調整された光線）を適用する技術が、数多く知られている。一例として、特許文献１には、浴室環境または衛生環境での用途が記載されている。当該文献では、浴槽の壁に設けられた発光体（適宜調整されていてもよい）を用いて、バスタブ内に溜まった水を介してバスタブ内の人間に照射することにより、当該人間の健康・幸福感を向上させるという所望のセラピーが生じることが記載されている。セラピストの報告によると、液体を使用することにより、従来のライトセラピーのセラピー効果に優れたプラスの影響がもたらされるとのことである。近年、このようなシステムは、特に、個人の使用について、世間から高い注目を集めている。
【先行技術文献】
【特許文献】
【０００４】
【特許文献１】独国実用新案第２０２０２２３０号明細書
【考案の概要】
【考案が解決しようとする課題】
【０００５】
しかしながら、このような従来のタイプの手段は、構造上の選択肢および必要な技術コストの面から制限されている。また、公知の衛生環境（浴室など）では、一般的に、多様な変更を施すことができない。
【０００６】
以上を踏まえて、本考案の根底をなす課題は、代替方法でセラピー効果のある照射、特に、生体の健康・幸福感を向上させる照射を生成することができ、低コストで実施可能で、かつ、所望のセラピー効果が増大しているライトセラピー装置を提供することである。
【課題を解決するための手段】
【０００７】
上記課題は、主請求項の構成を備えるライトセラピー装置、および独立請求項６の構成を備えるシステムによって解決される。本考案の有利な改良形態は、従属請求項に記載されている。さらに、本明細書の開示内容から明らかなように、本考案の範囲には、ライトセラピー装置に使用可能な画像（イメージ）を作成する方法も含まれており、本考案に属する。
【０００８】
有利なことに、本考案にかかるライトセラピー装置は、液体保持体（好ましくは、クリスタルから形成されたもの）から取り出された水性液体のサンプルとエタノールとの混合物からキルリアン写真によって画像を作成し、この液体の画像（詳細には、キルリアン露光法によってスライドに形成されたイメージ）を、本考案にかかる投影装置によって生体に対して投影することを可能にする。
【０００９】
驚くべきことに、本考案によって、キルリアン写真で得られたスライドからの特定のイメージを、光路内に液体のサンプルを配置した状態で当該液体と共に投影映写することにより、セラピー効果、特に、ヒトの自覚的な健康・幸福感の向上効果を達成できることが判明した。
【００１０】
有利なことに、このような本考案の範囲内のライトセラピー装置により、従来のカラーセラピー・照明システムに取って代わる装置を安い技術コストで提供することができる。本考案の実地試験により、このような照射を受けた個人の健康・幸福感へのセラピー効果について、一貫して好適な見解が得られただけでなく、行動へのプラスの影響効果、特に、暴力傾向の低下、ＡＤＤ（注意欠陥障害）行動パターンの緩和、または、このような照射を受けた個人のヒト免疫系へのプラスの刺激効果などの示唆も得られた。
【００１１】
本考案の範囲内において「キルリアン写真」とは、グロー放電またはコロナ放電を可視化する「コロナ放電写真」（高周波・高電圧写真としても知られている）の技術を用いて実行される写真技術のことを指す（名称は、発見者であるキルリアンに由来する）。実際に実行する際には、写真撮影される対象、この場合、水性液体のサンプルとエタノールとの混合物は、この時点では未だ露光されていないフィルム材と共に公知の手法で電場内に配置される。その水性液体は、対極（例えば、金属性の電極）に対する高電圧（典型的な数値は２０ｋＶ）下でコロナ放電を生じ、これによりフィルム材を露光し、現像によってスライドが作成される。
【００１２】
特に、規格の写真感光材料または公知の写真感光材料、例えば、一般に流通している小判または中判の写真感光材料を使用することにより、上述したようなスライドを作成するための材料の費用効率を向上させることができる。このようなスライドは、一般に流通しているスライドプロジェクタと共に、本考案にかかる投影装置を形成することができる。当該投影装置を実際に使用する際には、上述のように作成されたスライドが、対象物、例えば、処置を受ける個人に対して投影される。このとき、光路内には、光透過可能な容器内に収容された上記液体のサンプル（前記スライドを作成した際に用いられたサンプルと同じサンプル）が、手で持って、または機械的な取付けによって備えられる。前記投影装置を構成するプロジェクタは投光手段を備えており、当該投光手段は、その発光スペクトルが太陽光の発光スペクトルに近づくように極めて好適に構成されている。
【００１３】
このように構成された投影システムは、上述のような照射を受ける個人に対し、有利かつ格別な幸福感の促進および健康の促進のセラピー効果をもたらすことができる。
【００１４】
本考案の範囲内には、前述したライトセラピー装置のほかにも、セラピー効果のある液体を調製するシステムも含まれる。当該液体は、既述のとおり、キルリアン写真によって形成されるスライドの作成に使用することができ、また、光路内に配置されて照射を受けるサンプルとしても使用することができる。本考案にかかるシステムの範囲内では、そのような目的のために、透明なクリスタルの外層によって画定された空間を有する液体保持体が提供される。好ましい一実施形態において、この液体保持体は、天然鉱（天然鉱物）のジオード、すなわち、透明なクオーツ物質によって形成されたクリスタルの外層を外壁に有するシェル状のクオーツ体であり、つまり、透明である。
【００１５】
本考案において、好ましくは、前記液体保持体は、水性液体を保持するものであり、典型的には、約５から２００ｍｌの水性液体を保持することができ、より好ましくは、天然水が当該液体保持体に充填される。本考案にかかる液体収容体（液体保持体）は、手で取扱えるように、特に、野外の太陽光環境下で使用可能なように構成されている。物体によって反射された太陽光または入射光の光線は、クリスタルの外層を通過して前記空間内の水性液体に達することができる。
【００１６】
この種の液体は、さらなる処理を受けることができ、例えば、エタノールと混合することが可能である（例えば、好ましくは、エタノールの混合比は３０体積％から７０体積％である）。このようにして調製（準備）された混合物は、前述したような方法でスライドを作成するのに使用可能であり、また、照射・投影システムにおいて使用する（配置する）こともできる。
【考案の効果】
【００１７】
以上のようにして、本考案は、生物、特にヒトに対するライトセラピーを可能とし、生体を驚くべきほど効果的に活性化させて、免疫系および自己治癒力を刺激し、さらには、主観的な幸福感だけでなく行動的反応にもプラスの効果をもたらすライトセラピー装置およびシステムを、技術的にみて驚くべきほど簡単に提供することができる。
【図面の簡単な説明】
【００１８】
【図１】本考案の第１の好ましい実施形態にかかるライトセラピー装置を示すブロック図である。
【図２】ライトセラピー装置の他の使用方法を示す図である。
【考案を実施するための形態】
【００１９】
本考案のさらなる利点、特徴、および詳細は、好ましい実施形態についての以下の説明および図面から明らかになる。
【００２０】
概略的に図示した投影ユニット１は、典型的には、小判（照射対象のスライドの辺の長さが２４×３６ｍｍのもの）用の、市場で入手可能な従来のスライドプロジェクタである。この投影ユニット１は、同じく概略的に図示した、プロジェクタ用ランプからなる照明手段１０を備える。この照明手段１０には、投影されるスライド用の画像キャリア（画像担持体または画像支持体）１２が公知の方法で接続されている。この装置は、動作状態時には、対象（対象物）１８に向けて光路（符号１６で概略的に図示されている）を生成する。本考案にかかるライトセラピーの目的範囲内において、対象１８は、生体、例えば、患者であってもよい。筒状のガラス製容器のサンプル１４は、光路１６の光を通過させることができ、かつ、セラピー効果のある水性液体が所定量、例えば、５ｍｍ収容された状態で、サンプルキャリアに支持されて（詳細には図示せず。変形例として、この支持は、例えば、図示しない作業者が手で持ってもいてもよい）光路１６内に配置されている。
【００２１】
図１には詳細に示されていないが、スライドキャリア１２は、容器１４内に収容された液体と同一の液体のサンプルの、上述したキルリアン写真によって作成されたスライドを担持すなわち支持している。鉱物のジオードから取り出した天然水を、自然の太陽光に１０分間から３００分間曝したものをエタノールと混合して混合物を調製し、その後キルリアン写真を撮影する。この撮影には、ほぼフルフレームの（フレーム全体にわたる）コロナ画像がスライドに作成されるように、前記混合物の量が選択される。
【００２２】
図１には、サンプル１４と投影ユニット１との相対距離、およびサンプル１４と照明される対象１８（患者）との相対距離のいずれも詳細に示されていない。これら相対距離は、それぞれの焦点距離および投影条件に従って選択される。好ましくは、対象１８の垂直方向の寸法の少なくとも半分（例えば、光路に対して垂直な方向の寸法の少なくとも半分、すなわち、対象物の高さの少なくとも半分）が照射を受けるように、かつ、照射されるサンプルキャリアに設けられたサンプル１４が光路１６の対応する部分に影響を及ぼすように、各機能ユニット（各構成要素）は調整されたり向きを変更されたりする。
【００２３】
図２に、図１のライトセラピー装置の他の態様を示す。プロジェクタ１０は、頭上にサンプル容器１４を保持している患者１８に対してスライドの画像１２を投影する（サンプル容器１４は光路１６内に位置している）。矢印２２の経路に沿って効果的なエネルギーの流れを刺激するために、患者１８は、さらなる容器２０を足で取り囲んでいる。好ましくは、この容器２０には、セラピー効果のある物質の水溶液、例えば、容器１４と同じ液体、あるいは、本願考案者による「Ｔ１エッセンス」と称される市場から入手可能な液体が充填されている。本考案のこの実施形態によって、スライド１２が光路内になくとも効果的であることが判明している。
【００２４】
本考案は特定の実施形態に限定されない。むしろ、図示のライトセラピー装置の設計・製作には、セラピー目的やセラピー対象に応じて様々な変形および変更が施されてもよい。また、当業者であれば、セラピー目的や照明対象に応じて（例えば、照明手段１０の光強度を適宜調節することにより）照射時間および照射強度を適宜選択することができる。
【符号の説明】
【００２５】
１      投影装置
１０    照明手段
１２    画像（スライド）のキャリア
１４    液体のサンプル（サンプル容器）（液体保持体）
１６    光路
１８    投影を受ける物体（対象）
【図１】
0003193676.tif 000003
【図２】
0003193676.tif 000004